(57)【特許請求の範囲】
【請求項１】
ヘッドレストにスピーカを備えたスピーカ付きヘッドレストであって、
上記スピーカの前方位置に開口を形成した芯材が配設され、且つ該開口にパッド孔が一致して該芯材の前面に被着されるパッド部材を介在させて、板部に複数の通孔が形成された孔開き部分を有するプレートが、その孔開き部分で上記パッド孔の前面を覆うようにして取付けられ、且つ前記プレートの前面に、盤状の三次元網目状体がさらに被着されることを特徴とするスピーカ付きヘッドレスト。
【請求項２】
前記プレートの端部が前記パッド部材に埋設され、且つ該プレートの端部と前記芯材との間に前記パッド部材を介在させてなる請求項１記載のスピーカ付きヘッドレスト。
【請求項３】
ヘッドレストにスピーカを備えたスピーカ付きヘッドレストであって、
上記スピーカの前方位置に開口を形成した芯材が配設され、且つ該開口にパッド孔が一致して該芯材の前面に被着されるパッド部材を介在させて、板部に複数の通孔が形成された孔開き部分を有するプレートが、その孔開き部分で上記パッド孔の前面を覆うようにして取付けられ、さらに該プレートの端部が前記パッド部材に埋設され、且つ該プレートの端部と前記芯材との間に前記パッド部材を介在させてなることを特徴とするスピーカ付きヘッドレスト。
【発明の詳細な説明】
【技術分野】
【０００１】
本発明は車両等のシートバック上端に取付けられるヘッドレストのなかで、スピーカが装着されたスピーカ付きヘッドレストに関する。
【背景技術】
【０００２】
自動車などのシートバック上端にはヘッドレストが取り付けられている。そのなかに、音楽等を聴くことのできるスピーカを備えたスピーカ付きヘッドレストの提案がある（例えば特許文献１，２）。
【０００３】
【特許文献１】特開２００１−１１２５７２公報
【特許文献２】特開２００５−５８２８７公報
【発明の開示】
【発明が解決しようとする課題】
【０００４】
しかるに、特許文献１,２の開示発明は次のような問題があった。特許文献１の開示発明は、ヘッドレストの側部前面にスピーカが接するように取付けられており(特許文献１の図１)、ヘッドレストに必要な快適性が損なわれる虞があった。乗員の頭部が側部に傾いてスピーカに触れた時、ヘッドレスト本来のクッション性に富む感触と違い、乗員に違和感を与えた。
一方、特許文献２の開示発明のごとくスピーカを含めた側部全体をウレタンパッドで覆うと、全体にわたってクッション性に富む快適なヘッドレストになるが、スピーカから発する音の透過性が悪くなった。すなわち、スピーカの性能が低下する傾向にあった。これを解消すべく、スピーカの前方のウレタンパッドにパッド孔を設けることも考えられる。しかし、そうするとまた新たな問題を招いた。スピーカ付きヘッドレストは、一般にヘッドレスト本体とスピーカが組み込まれた両側部とに三分割され、バタフライ機構でつながっている。バタフライ機構によってヘッドレスト枕部の両側部が図９の中黒矢印の動き(バタフライ動作)をみせるヘッドレストは、音楽等を聴く際、手を使って両側部を屈曲させることになるが、手がパッド孔５０に入り込み易かった。そして、手がパッド孔５０に入り込むと、図１０(イ)から同図(ロ)へと表皮８が落ち込み易かった。特に、バタフライ機構作動時、親指を弱い箇所、すなわちパッド孔５０がある表皮部分に当てる動作になるため、その部分の表皮８が落ち込み易かった。しかも、落ち込みでできた凹みＤＰは、回復困難で品質低下を招いた。
【０００５】
本発明は、上記問題点を解決するもので、ヘッドレストに求められる快適性、さらにスピーカ性能を保持しながら、パッド孔の部位に手を当てて両側部を屈曲させた場合でも凹みを残すことなく、品質安定に貢献するスピーカ付きヘッドレストを提供することを目的とする。
【課題を解決するための手段】
【０００６】
上記目的を達成すべく、請求項１に記載の発明の要旨は、ヘッドレストにスピーカを備えたスピーカ付きヘッドレストであって、上記スピーカの前方位置に開口を形成した芯材が配設され、且つ該開口にパッド孔が一致して該芯材の前面に被着されるパッド部材を介在させて、板部に複数の通孔が形成された孔開き部分を有するプレートが、その孔開き部分で上記パッド孔の前面を覆うようにして取付けられ、且つ前記プレートの前面に、盤状の三次元網目状体がさらに被着されることを特徴とするスピーカ付きヘッドレストにある。ここで、「該開口にパッド孔が一致」は、両者の大きさを等しくさせることまでは要せず、開口とパッド孔とが重なり合って、該開口から該パッド孔へ通り抜けできれば「該開口にパッド孔が一致」するとみなす。
請求項２の発明たるスピーカ付きヘッドレストは、請求項１で、プレートの端部が前記パッド部材に埋設され、且つ該プレートの端部と前記芯材との間に前記パッド部材を介在させてなることを特徴とする。
請求項３の発明たるスピーカ付きヘッドレストは、ヘッドレストにスピーカを備えたスピーカ付きヘッドレストであって、上記スピーカの前方位置に開口を形成した芯材が配設され、且つ該開口にパッド孔が一致して該芯材の前面に被着されるパッド部材を介在させて、板部に複数の通孔が形成された孔開き部分を有するプレートが、その孔開き部分で上記パッド孔の前面を覆うようにして取付けられ、さらに該プレートの端部が前記パッド部材に埋設され、且つ該プレートの端部と前記芯材との間に前記パッド部材を介在させてなることを特徴とする。
【０００７】
請求項１の発明のごとく、スピーカの前方位置に開口,パッド孔,孔開き部分が設けられると、スピーカ音の通りが良くなり、音質が低下しない。その一方で、開口にパッド孔が一致して、芯材の前面に被着されるパッド部材を介在させて、孔開き部分を有するプレートが、その孔開き部分でパッド孔の前面を覆うようにして取付けられると、この孔開き部分の箇所を手で掴んでヘッドレスト枕部の両側部を屈曲しても、プレートの剛性によって、パッド孔内への指の落ち込みが軽減される。また、その落ち込みでできる凹みもプレート,パッド部材が弾性変形したものであり、手をそこから離せば該凹みも復元し元通りになる。凹みは消失する。そして、手で掴んだ感触もパッド部材を介在させてプレートが取付けられているので、該パッド部材のクッション性が生かされ、プレートの箇所とプレートのない他の箇所と殆ど変わらない。プレートの前面に、盤状の三次元網目状体がさらに被着されると、三次元網目状体に弾力性があるので、そのソフトな感触で剛性のあるプレートの感触が弱められ、孔開き部分の箇所を手で掴んでも、他と違わない一層良好な感触が得られる。そして、プレートの前面に三次元網目状体が被着されても、該三次元網目状体は空隙率が高いのでスピーカ音質を低下させることがない。
請求項２，３の発明のごとく、プレートの端部がパッド部材に埋設されると、プレートがパッド部材に固定され、押圧力等によってずれることが防止される。さらに、パッド部材に埋設されたプレートの端部と芯材との間に該パッド部材が介在するので、スピーカの前方部でも他部と同様のクッション性を確保できる。
【発明の効果】
【０００８】
本発明のスピーカ付きヘッドレストは、ヘッドレストに求められる快適性、スピーカ性能を保持するだけでなく、ヘッドレスト枕部の両側部をバタフライ動作で屈曲させる際、スピーカ前方の孔開き部分上を手で押さえて凹む落ち込み量が側部の他の部分を手で押さえる時とほぼ同じになり、また、その押える動作で感じる感触も良好であり、さらに一旦凹んだ凹みもそこから手を離せば回復して凹みを残すことがないなど優れた効果を発揮する。
【発明を実施するための最良の形態】
【０００９】
以下、本発明に係るスピーカ付きヘッドレストの実施形態について詳述する。図１〜図９は本発明のスピーカ付きヘッドレストの一形態を示したもので、図１はその分解斜視図、図２は図１のスピーカ付きヘッドレストの横断面図で、パッド孔の位置より若干上方位置での要部横断面図である。図３はスピーカが取付けられた位置での要部横断面図、図４は(イ)が樹脂プレートの斜視図、(ロ)が(イ)のIV-IV線断面図である。図５は本発明のスピーカ付きヘッドレストの側部を屈曲させる姿態の斜視図、図６は(イ)が図５のV-V線断面図、(ロ)が図５のVI-VI線断面図である。図７は図６(イ)でプレートがない場合の対比断面図である。図８は図６(イ)でプレートをなしにし、さらにパッド孔の前面にまで芯材を張り出した場合の対比断面図、図９はスピーカ付きヘッドレストの動作説明斜視図である。尚、図２はプレート６,三次元網目状体７１,表皮８の図示を省略する。
【００１０】
スピーカ付きヘッドレストは、車両用で、基材１とスピーカ２と芯材３とパッド部材５とプレート６と三次元網目状体７１と表皮８とを具備する。
【００１１】
基材１は剛性のある樹脂成形品で、ヘッドレストの枕部Ｍの骨格部分となる(図２,図５)。シートバック上端にステー脚部９１を挿着して、図５の起立状態でスピーカ付きヘッドレストが取付けられるが、基材１はステー９の上部に固定される。本実施形態の基材１は、前面開放の椀形状の基部１ａと、その両側部分にスピーカ用収容室１０が確保できるよう、基部１ａの両側壁から内方へ所定距離入った箇所に設けられる一対の板状仕切部１ｂとを備える。両仕切部１ｂは図２のような断面形状で立設する。両仕切部１ｂは、基部１ａの後壁内面から該基部の側壁と略並行に保って前方へ張出し、その後、基部１ａの前面開放口の手前で両側壁へ向けて平面視「く」の字状に屈曲する。ここで、図５の方位で示すように、本発明の「前方」とは車両が進行する「前」方向で、「後方」はその逆方向をいい、また「下方」は重力の「下」方向で、「上方」はその反対「上」方向をいう。また、車両進行方向を背にして車両後方に目を向けた際の左手方向が「左方」で、右手方向を「右方」という。
かくのごとく、基部１ａと仕切部１ｂで囲まれた基材１の左右両側に収容室１０が設けられ、両収容室１０のそれぞれの下半部にスピーカ２が配設される(図３)。
【００１２】
スピーカ２はカーステーレオ用スピーカ２で、公知品である。図３の符号２０はスピーカ２の音発生源(発振源)を示す。スピーカ２の前方にあたる上記仕切部１ｂの部分は、図３のごとく、くり抜かれて欠損部分になっている。該欠損部分の周縁等を利用してスピーカ２が取着される。該スピーカ２、該欠損部分の前方に芯材３の副パネル３ｂが配設される。
【００１３】
芯材３は主パネル３ａとこの両側に設けられる副パネル３ｂとを備える樹脂製板状体である(図１)。芯材３は起立して、椀形状をなす上記基部１ａの前面開放口を塞ぐように配され、且つ副パネル３ｂが空間Ｓを介してスピーカ２の前方に配される。乗員頭部の背後に位置する主パネル３ａは図２のごとく平板状とするが、左右の副パネル３ｂは、それぞれ主パネル３ａから基材基部１ａの前端を包み込むように屈曲して基部１ａの左右側壁の後方へと延びる。副パネル３ｂが基部１ａの側壁外面に近接状態を保って基部側壁と重なる部分をつくる。両副パネル３ｂの端部３３には表皮８を止めるためのクリップＣＰが取着され、スピーカ２の前方の両副パネル３ｂの部分には、スピーカ音の通り抜け用開口３５が形成される(図３)。
主パネル３ａは基材基部１ａに固定されるが、主パネル３ａの左右に配する副パネル３ｂはバタフライ機構(ヒンジ機構)によって主パネル３ａに対し回動可能なるよう取付けられる。図１のごとく、主パネル３ａからの張出部３０と副パネル３ｂからの張出部３１が軸状連結部材４を巻き込んでヒンジ機構を形成する。スピーカ２を利用しない時は、副パネル３ｂが主パネル３ａと平面視で略横一線に並び、スピーカ２なしの汎用ヘッドレストと同形状の図５の姿態が保てる一方、該ヒンジ機構を有することで図２の鎖線のごとく主パネル３ａに対し副パネル３ｂを回動可能にする。基材１に固定される主パネル３ａと違い、左右の副パネル３ｂは、図９の中黒矢印に示す方向へ一定以上の力を加えたところで、連結部材４を中心軸にして回動するよう調整される。そして、副パネル３ｂの回動に伴い、副パネル３ｂの前面に被着されるパッド部材５の副部５ｂも一体的に回動する。
【００１４】
パッド部材５は芯材３の前面に被着されるクッション性に富むウレタンパッド等の発泡樹脂成形品である。パッド部材５は、ヘッドレストに求められる快適性が保てる厚みを有し、図１のごとく少なくとも芯材３の前面部をカバーできる形状になっている。ここでのパッド部材５は、主部５ａを中央に配し、つなぎ部５ｃを介してその両側に副部５ｂを延設する。主部５ａは裏面が主パネル３ａの前面に当接し、副部５ｂは裏面が副パネル３ｂの前面に当接する。つなぎ部５ｃはパッド部材５の上端から下端へ向けて縦長の凹所を前面側に形成して(図２)、連結部材４のあるヒンジ機構の部位に配される。主パネル３ａに対し副パネル３ｂが図２の鎖線のごとく回動すると、副部５ｂも一緒に回動するが、つなぎ部５ｃを凹ませることでその動きを円滑にする。
パッド部材５の両副部５ｂには、それぞれ図１,図３に示すようなパッド孔５０が設けられる。該パッド孔５０を上記開口３５に一致させて、芯材３の前面にパッド部材５が被着される。パッド孔５０は芯材３の開口３５と同等又は若干大きめに造られる。なお、パッド孔５０を開口３５に一致させるとは、パッド孔５０と開口３５が連続し、開口３５からパッド孔５０へ通り抜ける導通孔ができればよく、パッド孔５０と開口３５の輪郭が完全に一致しなくてもよい。該パッド孔は、その前面がプレート６、詳しくはその孔開き部分６０で覆われる。
【００１５】
プレート６は板部６ａに複数の通孔６０ａが形成された孔開き部分６０を有する板状体である。本実施形態のプレート６は、図４のようなソリッドの樹脂成形品で、略四角形の平らな板部６ａと、この外周縁から直角方向に屈曲して延設される鍔部６ｂとを備える。板部６ａから鍔部６ｂとの角部は法規制クリアのため、また補強効果のため、図示のごとくアール形状が施されている。板部６ａの面には略円形の孔開き部分６０が形成される。孔開き部分６０は縦横に走る格子状リブ６０ｂで小さな通孔６０ａが複数形成された格子状態になっている。板部の開口率は６５％以上とする。孔開き部分６０の板面大きさは、図１,図３のごとくパッド孔５０の大きさと同等又は若干大き目とする。プレート６は該孔開き部分で上記パッド孔５０の前面を覆うようにしてパッド部材５に取付けられる。該プレート６でパッド孔５０に蓋をする格好になる。そのため、図９のように指でパッド孔５０へ向けて押さえても、指がプレート６に当たってパッド孔５０内に入り込むのを阻止する。指が当たったプレート６は、パッド部材５上に載っているので、パッド部材５を弾性変形させながらゆっくりと沈む。パッド部材５がクッション層になっている。指を外すと、パッド部材５が弾性復元し、プレート６が元の位置へ戻る。該パッド部材５の弾性復元する様子は、指でパッド部材５の箇所を直接押したときと同じような動きになる。
本スピーカ付きヘッドレストは、プレート６を直接芯材３に当接させない。本プレート６と芯材３との間にパッド部材５を配設することを必須とする。パッド部材５を設けることによって、上述したクッション性と、振動を吸収するダンパー効果を得ることができる。
ヘッドレストの組立てで、プレート６はパッド部材５へ後付け固定できる。これに代え、図３のようにパッド部材５の成形時にインサート成形でプレート６をパッド部材５に一体化させプレート６の鍔部６ｂがパッド部材５に埋設され、更に鍔部６ｂの端部６ｃと副パネル３ｂとに間に該パッド部材５を介在させることもできる。
本発明では、該プレート６の前面にさらに三次元網目状体７１が被着される(図１)。
【００１６】
三次元網目状体７１は素線で三次元網目状に立体形成された空隙率の高い盤状部材である。三次元網目状体７１は空隙率が高く、スピーカ２の音の通りが良好である。該三次元網目状体の盤状形成によって、また弾力性,フィット性が生まれる。ここでの三次元網目状体７１は図１のごとくパッド部材５に係る副部５ｂの前面大きさに合わせた四角形盤とする。三次元網目状体７１には、例えば旭化成せんい株式会社製商品名「フュージョン」(登録商標)の立体構造編物が用いられる。
パッド部材５の副部５ｂに設けたパッド孔５０を覆うようにプレート６が被着され、さらにプレート６の前面及びその周りの副部５ｂの前面に盤状の三次元網目状体７１が被着される。該三次元網目状体がパッド部材５の副部５ｂに被着される一方、パッド部材５の主部５ａには三次元網目状体７１の厚みに合わせた盤状のウレタンスラブ材７２が被着される(図１)。その後、表皮８を覆着してスピーカ付きヘッドレストの組付けが完成するが、表皮８を被せて出来るヘッドレストの枕部Ｍの全体形状をなだらかに且つ一様に整えるためである。
【００１７】
上記表皮８は、上記基材１、スピーカ２、芯材３、パット部材、プレート６、三次元網目状体７１、ウレタンスラブ材７２を組付け、枕形状にした組立品の外形に沿うと共に、この組立品に上から被せることができるよう一部分が開放した袋状体とする(図１)。ここでの袋状表皮８は中央部８ａと側部８ｂと接続部８ｃと上部８ｄと後部８ｅとを備え、該組立品の全表面をほぼ覆う枕形状に造られる。図１のごとく、上記組立品の三次元網目状体７１の前面に側部８ｂが配され、ウレタンスラブ材７２の前面に中央部８ａが配され、中央部８ａと側部８ｂをつなぐ接続部８ｃが上記パッド部材５のつなぎ部５ｃの前方に配される。そうして、主パネル３ａに対し副パネル３ｂが図２の鎖線のごとく回動すると、パッド部材５の副部５ｂ、プレート６、三次元網目状体７１、さらに表皮８の側部８ｂも一体的に追動できるようになっている。
表皮８の側部８ｂには図示のごとく複数の透孔８０が設けられる。基材１、芯材３、パット部材５,プレート６等が組付けられた上記組立品に表皮８が被せられると、該透孔がスピーカ２、プレート６の孔開き部分６０の前方位置に配される。
【００１８】
かくのごとくして、スピーカ音は上記欠損部分、芯材３の開口３５、パッド孔５０、プレート６の孔開き部分６０、三次元網目状体７１、表皮８の透孔８０を通って乗員に直接伝わる。図３のごとく、芯材３の開口３５、パッド孔５０、及びプレート６の孔開き部分６０が、スピーカ２から発する音の有効エリアθ(例えば３０°)を阻害,制限しない大きさに形成される。収容室１０にスピーカ２を配して、基材１に芯材３を取付け、該芯材に上記パッド部材５,上記プレート６,上記三次元網目状体７１,表皮８が被着された本スピーカ付きヘッドレストは、実際の使用で次のような作用を及ぼす。
【００１９】
スピーカ２を用いない図５の状態から、音楽等を聴く場合、乗員はスピーカ２が在る表皮側部８ｂに手ＨＤをかけ、主パネル３ａに対し図９の矢印方向へ力を入れて平面視「ハ」字状にする。
ここで、左側の表皮側部８ｂで、その下半部分を手で掴んで曲げるケースについて説明する。表皮側部８ｂの透孔８０がある下半部分に親指を当て、残りの指が表皮８の後部８ｅへ回り込むようにして手ＨＤで側部８ｂをつかむ。その後、連結部材４を中心軸にして手前に引き寄せ回転させる力(荷重)を加える。この力が加わった時の図５のV-V線断面図では、図３の状態から図６(イ)のように変化する。親指の力が表皮８を介して三次元網目状体７１,プレート６,パッド部材５を弾性変形させて凹みＤＰをつくる。中黒矢印はその凹みＤＰの落ち込み量を示す。親指に力を入れると、クッション性に富むパッド部材５によって柔らかく沈む。パッド部材５がプレート６の背面を受け止めているので、他の表皮側部８ｂ、例えば図５の枕部Ｍの上半部分に手をおき、力を加えた時と同様に凹む。さらに、プレート６の前面及び副部５ｂの前面に三次元網目状体７１が載置されるため、表皮側部８ｂの上半部分に親指を当て、ヘッドレストに力を入れた時の手ＨＤに伝わる感触と略同じになる。加えて、表皮側部８ｂの上半部分に力を加えた図５のVI-VI線断面図は図６(ロ)のようになるが、中黒矢印で示す凹みＤＰの落ち込み量も、図６(イ)と図６(ロ)とで殆ど差がない。
そして、表皮側部８ｂを所定角度に曲げた後、親指を取り除けば、パッド部材５,プレート６,三次元網目状体７１が弾性復元し、凹みＤＰが消えて元の状態になる。左側の表皮側部８ｂで説明したが、右側の表皮側部８ｂでも同様の作用が働く。
【００２０】
このように構成したスピーカ付きヘッドレストは、特許文献１のようにスピーカ２が側部８ｂの前面に接するのでなく、スピーカ２の前方がパッド孔５０を介してプレート６,三次元網目状体７１に覆われるので、パッド部材５のクッション性が機能し、ヘッドレストに求められる快適性だけでなく、手でつかんだときの感触を良好にする。枕部Ｍの調整後、そこから手を離せば、パット部材５,プレート６,三次元網目状体７１が弾性復帰し、表皮８の凹んだ箇所が元に戻る。また、スピーカ２の前方部位をパッド部材５そのもので覆う特許文献２と違って、スピーカ２の前方に位置する芯材３,パッド部材５には、開口３５,パッド孔５０が配されるので、スピーカ音が乗員の耳にストレートに届き、スピーカ性能を低下させることがない。
そして、本スピーカ付きヘッドレストでは、開口３５、パッド孔５０を設けても、プレート６、さらに三次元網目状体７１を配設することで、品質保持が図られる。
【００２１】
音楽等を聴く場合、スピーカ２が内在する表皮側部８ｂを手ＨＤで掴んで回すいわゆるバタフライ動作になるが、表皮側部８ｂを掴んだその手ＨＤの感触は、表皮側部のどこを掴んでも略同じになる。スピーカ２の前方で、表皮８の透孔８０の内面側に孔開き部分６０、パッド孔５０、さらに開口３５が存在していても、その部分と他の表皮箇所とを手ＨＤで掴んだ時の両感触に差がなく、殆ど同じである。品質維持が図られる。
図９の従来技術は、落ち込んでできた凹みＤＰがそのまま残ってしまい、見栄えを悪くした。また、図７は本プレート６をなしにした図６(イ)に対応する断面図であるが、そうすると、三次元網目状体７１が指の力でパッド孔５０内へ大きく入り込んでしまう。中黒矢印で示す凹みＤＰの落ち込み量が大きく、乗員が違和感を憶える。また、三次元網目状体７１が専ら変形し、パッド部材５がさほど変形しないので、表皮側部８ｂの上半部分等の他の部分を手ＨＤで掴んだ時と違った違和感を乗員に与える。さらに、落ち込み量が大きい分、手ＨＤが離れても表皮８が元に戻らない虞もある。
また、図７の中黒矢印で示す凹みＤＰの落ち込み量を減らす解決策として、図８のようにすることも考えられる。図８は図６(イ)に対応する断面図で、芯材３の開口周縁に隆起部３８を延設し、さらに開孔前面部分３７を延設し、プレート６に代わる該開孔前面部分で開口３５を塞ぐ対策案である。該開孔前面部分には複数の開孔３７１が形成される。しかるに、図８のスピーカ付きヘッドレストの構成では、図７の中黒矢印で示す凹みＤＰの落ち込み量の問題は解決するものの、表皮側部８ｂを掴んだ時の手ＨＤの感触が悪くなる。図９のように表皮側部８ｂで、その下半部分を掴んで曲げると、表皮８,三次元網目状体７１を経由して剛性のある芯材３の開孔前面部分３７にすぐに突き当たるので、異質な物に触った感じになる。開孔前面部分３７は本スピーカ付きヘッドレストのようにクッション性に富むパッド部材５上に載置されてないので、開孔前面部分３７が在る表皮側部８ｂでは、表皮８の他の部分を掴んだときに生じる柔らかな感触と違って、異質な硬いものに触れた感じになる。品質上問題となり、本発明のような上記効果は期待できない。
かくのごとく、本スピーカ付きヘッドレストは、ヘッドレストに求められる快適性、スピーカ性能をそのまま備え、且つスピーカ２の使用で、パッド孔５０が在る部位の表皮側部８ｂを手ＨＤで掴んで屈曲させるバタフライ動作の際に、図９(ロ)のような凹みＤＰを残さず、さらにヘッドレスト表皮８の側部８ｂのどこを手ＨＤで掴んでも感触がほぼ同じで良好であるなど、品質上極めて優れたものとなっている。
【００２２】
尚、本発明においては、上記実施例に示すものに限られず、目的，用途に応じて本発明の範囲で種々変更できる。基材１,スピーカ２,芯材３,連結部材４,パッド部材５,プレート６,三次元網目状体７１,表皮８等の形状，大きさ，個数などは用途に応じて適宜選択できる。
【図面の簡単な説明】
【００２３】
【図１】本発明のスピーカ付きヘッドレストの一形態で、その分解斜視図である。
【図２】図１のスピーカ付きヘッドレストの横断面図で、パッド孔の位置より若干上方位置での要部横断面図である。
【図３】スピーカが取付けられた位置での要部横断面図である。
【図４】(イ)が樹脂プレートの斜視図、(ロ)が(イ)のIV-IV線断面図である。
【図５】本発明のスピーカ付きヘッドレストの側部を屈曲させる姿態の斜視図である。
【図６】(イ)が図５のV-V線断面図、(ロ)が図５のVI-VI線断面図である。
【図７】図６(イ)でプレートがない場合の対比断面図である。
【図８】図６(イ)でプレートをなしにし、さらにパッド孔の前面にまで芯材を張り出した場合の対比断面図である。
【図９】スピーカ付きヘッドレストの動作説明斜視図である。
【図１０】従来技術の説明断面図である。
【符号の説明】
【００２４】
２            スピーカ
３            芯材
３５          開口
５            パッド部材
５０          パッド孔
６            プレート
６０          孔開き部分
６０ａ        通孔
６０ｃ        プレートの端部
７１          三次元網目状体
【図１】
0005253002.tif 000002
【図２】
0005253002.tif 000003
【図３】
0005253002.tif 000004
【図４】
0005253002.tif 000005
【図５】
0005253002.tif 000006
【図６】
0005253002.tif 000007
【図７】
0005253002.tif 000008
【図８】
0005253002.tif 000009
【図９】
0005253002.tif 000010
【図１０】
0005253002.tif 000011